(57)【要約】      （修正有）【課題】用紙規制板を各種用紙サイズ毎に予め決められた用紙サイズ位置に正確かつ容易に取り付けることができる給紙カセットを提供する。【解決手段】給紙カセットは、用紙規制板に配設された複数のキー３０と、該複数のキー３０毎に、該キー３０のキー操作に連動して付勢力を作用させる付勢手段３３と、この付勢手段３３の付勢力により用紙規制板位置決め用穴にクリック感を持って入る突起３４と、用紙規制板ロック用窪み５に入って用紙規制板の移動をロックするロックレバー４０とを具えている。【選択図】図４
2010168164.tif 000002
【特許請求の範囲】
【請求項１】
カセット内に配設された用紙を位置決め規制する用紙規制板と、
前記用紙規制板をスライド自在に支承する案内溝と、
前記用紙規制板を用紙サイズ毎に予め決められた位置に位置決めする複数の用紙規制板位置決め用穴と、
前記用紙サイズ毎に予め決められた前記用紙規制板の停止位置を表示するサイズ表記と、
前記用紙規制板の移動をロックする用紙規制板ロック用窪みと、
前記用紙規制板に配設された複数のキーと、
前記複数のキー毎に、該キーのキー操作に連動して付勢力を作用させる付勢手段と
前記付勢手段の付勢力により前記用紙規制板位置決め用穴にクリック感を持って入る突起と、
前記用紙規制板に配設され前記用紙規制板ロック用窪みに入って前記用紙規制板の移動をロックするロックレバーと
を具えたことを特徴とする給紙カセット。
【請求項２】
前記突起は先端球状で、その径は前記用紙規制板位置決め用穴の径よりも大きく形成されていることを特徴とする請求項１に記載の給紙カセット。
【請求項３】
前記サイズ表記は、国内と海外で使用される用紙の各サイズであることを特徴とする請求項１に記載の給紙カセット。
【請求項４】
前記用紙規制板の移動をロックする用紙規制板ロック用窪みは、断面ラック形状であることを特徴とする請求項１に記載の給紙カセット。
【請求項５】
複数のキーは、上面に国内と記載されたキーと、上面に海外と記載されたキーであることを特徴とする請求項１に記載の給紙カセット。
【請求項６】
前記キーのキー操作に連動して付勢力を作用させる付勢手段はコイルスプリングであることを特徴とする請求項１に記載の給紙カセット。
【請求項７】
前記用紙規制板ロック用窪みに入って前記用紙規制板の移動をロックするロックレバーは、付勢手段の付勢力により常時は前記用紙規制板ロック用窪みに入って前記用紙規制板の移動をロックすることを特徴とする請求項１に記載の給紙カセット。
【発明の詳細な説明】
【技術分野】
【０００１】
この発明は、プリンタ、ファクシミリ装置、あるいは複写機等の画像形成装置へ用紙を供給する給紙カセットに関し、特に用紙としてカット紙を多数枚積載して収容する給紙カセットに関する。
【背景技術】
【０００２】
従来から、プリンタ、ファクシミリ装置、あるいは複写機等の画像形成装置へ用紙を供給するため、用紙（カット紙）を多数枚積載して収容する給紙カセットが使用されている。
【０００３】
一方、使用されるカット紙は、長さ及びその幅が異なった各種のサイズがあり、これらの各種サイズのカット紙をそのサイズに対応して一つのカセット内に積載収容するため、例えば特開平８−１２０９６号、あるいは特開２００６−５６６３６号に開示されているような給紙カセット（以下単にカセットと言う）が提供されている。
【先行技術文献】
【特許文献】
【０００４】
【特許文献１】特開平８−１２０９６号
【特許文献１】特開２００６−５６６３６号
【発明の概要】
【発明が解決しようとする課題】
【０００５】
ところで、上述したカセットでは、使用する用紙サイズに対応し、当該用紙をカセット内で位置決め（セット）するために用紙規制板が使用されているが、この用紙規制板は、カセット内において、用紙サイズ毎に予め決められた位置（セット位置）に正確に取り付けられることが必要である。
【０００６】
しかしながら、特開平８−１２０９６号に記載されたものでは、用紙規制板のセット位置への移動はインジケータを見ながら行うが、セット位置の微小な位置ズレに対する防止策はなく、このため用紙規制板のカセット内における実際の取り付け位置が、予め用紙サイズ毎に決められた位置と一致しない虞がある。
【０００７】
また特開２００６−５６６３６号に記載されたものは、用紙規制板のロック位置のセットミスを防止するが、Ａ４サイズとレターサイズの場合に限定され、用紙規制板を国内サイズ、あるいは海外サイズ等の各種サイズの用紙に対応した位置に容易かつ正確にセットすることが出来ない虞がある。
【０００８】
なお、用紙規制板が用紙サイズ毎に予め決められたセット位置に正確に取り付けられないと、以下に記述するように各種の問題が発生する。
【０００９】
例えば、用紙規制板の取り付け位置が、カセット内にセットする用紙の用紙サイズと一致していない場合、画像形成装置の制御装置で予め設定されている印刷画像サイズと給紙カセット装着部に設けている用紙サイズ検出手段が検出する用紙サイズとの不一致が発生し、このため画像形成装置の制御装置では、用紙サイズ検出手段により自動的に検出した用紙サイズ内に印刷できるように画像を拡大あるいは縮小して印刷してしまう虞がある。
【００１０】
また、用紙規制板が用紙サイズ毎に予め決められた位置に正確に取り付けらないと、画像形成装置内の用紙搬送路に設けられた用紙サイズ検知手段で紙送りの制御が不正確になり、適切でない紙ジャム検出や紙ジャムの検出ができなくなる等の不具合が発生する虞もある。
【００１１】
さらに、用紙規制板が用紙サイズ毎に予め決められた用紙サイズ位置に正確に取り付けられないと、用紙がカセット内で正確に位置決めされずに供給されることで、用紙に対する印刷画像の位置精度が不安定となり、また用紙が斜めに搬送されて紙詰まりを発生させる要因ともなる。
【００１２】
この発明は、上述した事情に鑑み、用紙規制板を各種用紙サイズ毎に予め決められた用紙サイズ位置に正確かつ容易に取り付けることができる給紙カセットを提供することを目的とする。
【課題を解決するための手段】
【００１３】
上述した課題を解決するため、請求項１に記載した給紙カセットの発明は、カセット内に配設された用紙を位置決め規制する用紙規制板と、前記用紙規制板をスライド自在に支承する案内溝と、前記用紙規制板を用紙サイズ毎に予め決められた位置に位置決めする複数の用紙規制板位置決め用穴と、前記用紙サイズ毎に予め決められた前記用紙規制板の停止位置を表示するサイズ表記と、前記用紙規制板の移動をロックする用紙規制板ロック用窪みと、前記用紙規制板に配設された複数のキーと、前記複数のキー毎に、該キーのキー操作に連動して付勢力を作用させる付勢手段と、前記付勢手段の付勢力により前記用紙規制板位置決め用穴にクリック感を持って入る突起と、前記用紙規制板に配設され前記用紙規制板ロック用窪みに入って前記用紙規制板の移動をロックするロックレバーとを具えたことを特徴としている。
【００１４】
請求項２に記載された発明は、請求項１に記載された給紙カセットにおいて、前記突起は先端球状で、その径は前記用紙規制板位置決め用穴の径よりも大きく形成されていることを特徴としている。
【００１５】
請求項３に記載された発明は、請求項１に記載された給紙カセットにおいて、前記サイズ表記は、国内と海外で使用される用紙の各サイズであることを特徴としている。
【００１６】
請求項４に記載された発明は、請求項１に記載された給紙カセットにおいて、前記用紙規制板の移動をロックする用紙規制板ロック用窪みは、断面ラック形状であることを特徴としている。
【００１７】
請求項５に記載された発明は、請求項１に記載された発明において、複数のキーは、表面に国内と記載されたキーと、表面に海外と記載されたキーであることを特徴としている。
【００１８】
請求項６に記載された発明は、請求項１に記載された給紙カセットにおいて、前記キーのキー操作に連動して付勢力を作用させる付勢手段はコイルスプリングであることを特徴としている。
【００１９】
請求項７に記載された発明は、請求項１に記載された発明において、前記用紙規制板ロック用窪みに入って前記用紙規制板の移動をロックするロックレバーは、付勢手段の付勢力により常時は前記用紙規制板ロック用窪みに入って前記用紙規制板の移動をロックすることを特徴としている。
【発明の効果】
【００２０】
請求項１の発明によると、オペレータによるキーの操作により、付勢力を得た突起が用紙規制板位置決め用穴にクリック感を持って入るので、オペリレータは用紙規制板が用紙サイズ毎に予め決められた位置に至ったことを容易に認識することが出来、またそのクリック感を得た位置でロックレバーを用紙規制板ロック用窪みに入れて用紙規制板の移動をロックすれば、用紙規制板が用紙サイズ毎に予め決められた位置にロックされ、これにより用紙を給紙カセット内の各種用紙サイズ毎に予め決められた用紙サイズ位置に正確かつ容易に取り付けて、画像形成装置の印刷ミス、紙ジャムの発生、用紙のスキューの発生等を防止し、安定した印刷画像を形成する画像形成装置を提供することができる。
【００２１】
また請求項２に記載した発明によると、突起は先端球状で、その径は前記用紙規制板位置決め用穴の径よりも大きく形成されているので、突起が用紙規制板位置決め用穴にクリック感を持って入るとともに、用紙規制板を移動させる際には、突起が用紙規制板位置決め用穴から容易に脱出し、用紙規制板のスライド移動を妨げることもない。
【００２２】
また請求項３に記載された発明によると、サイズ表記は、国内と海外で使用される用紙の各サイズであるから、オペレータは用紙規制板を移動させる際に、予め国内と海外のいずれか一方の表記を選択し、その後、その目的のサイズ表記位置へ用紙規制板を移動させればよいから、用紙規制板の移動操作が簡単となる。
【００２３】
請求項４に記載された発明によると、用紙規制板の移動をロックする用紙規制板ロック用窪みは、断面ラック形状であるから、その構造が簡単であるばかりでなく、用紙規制板を正確に位置決めし、またその移動を確実にロックさせることができる。
【００２４】
請求項５に記載された発明によると、複数のキーは、表面に国内と記載されたキーと、表面に海外と記載されたキーであるから、オペレータは用紙規制板を移動させる際に、予め国内と海外のいずれか一方のキーを選択し、その選択したキーを操作することにより、用紙規制板を容易に目的の用紙サイズ位置に移動させることが出来る。
【００２５】
請求項６に記載された発明によると、キーのキー操作に連動して付勢力を作用させる付勢手段はコイルスプリングであるから、その構造が簡単で安価に提供することができる。
【００２６】
請求項７に記載された発明によると、用紙規制板ロック用窪みに入って前記用紙規制板の移動をロックするロックレバーは、付勢手段の付勢力により常時は前記用紙規制板ロック用窪みに入って前記用紙規制板の移動をロックするから、誤って用紙規制板が移動することを防止することができる。
【図面の簡単な説明】
【００２７】
【図１】図１は、本願発明に係る給紙カセットの要部破断概念斜視図。
【図２】図２は、図１に示す用紙規制板の概念斜視図。
【図３】図３は、用紙規制板が配設された給紙カセットの底部を示す要部概念断面図。
【図４】図４は、用紙規制板の構造を示す断面図で、特に用紙規制板ロック用窪み付近の構造を示す図２のＡＡ概念断面図。
【図５】図５は、用紙規制板の構造を示す断面図で、特に用紙規制板位置決め用穴付近の構造を示す図２のＡＡ概念断面図。
【図６】図６は、本願発明に係る用紙規制板の作用を示す用紙規制板の概念断面図。
【図７】図７は、本願発明に係る用紙規制板の作用を示す用紙規制板の概念断面図。
【図８】図８は、本願発明に係る用紙規制板の作用を示す用紙規制板の概念断面図。
【図９】図９は、本願発明に係る用紙規制板の作用を示す用紙規制板の概念断面図。
【図１０】図１０は、本願発明に係る用紙規制板の作用を示す用紙規制板の概念断面図。
【発明を実施するための形態】
【００２８】
以下、この発明に係る給紙カセットの一実施例を詳述する。
【００２９】
図１は本願発明に係る給紙カセット１の要部破断概念斜視図である。
【００３０】
この給紙カセット１（以下単にカセットと言う）は、各種サイズの用紙（カット紙）２ｂを多数枚積載収容するカセット本体２と、このカセット本体２の底面２ａに配設され、当該カセット底面２ａの長手方向に沿って形成された案内溝４に沿ってスライド自在に支承された用紙規制板３とから構成されている。
【００３１】
なお、この用紙規制板３は、図３で示すカセット底面２ａの要部破断面図に示すように用紙規制板３の底部３ａが案内溝４内に嵌挿し、カセット底面２ａから抜け出ないように構成されている。
【００３２】
一方、図１に示すように、前記カセット本体２の底面２ａには、前記案内溝４に沿って、前記用紙規制板３を、収容する用紙２ｂの用紙サイズ毎に予め決められた位置に位置決めするための複数の用紙規制板位置決め用穴１０，１１，１２，１３，１４，１５，１６，１７、１８が形成されている。
【００３３】
なお、この用紙規制板位置決め用穴１０，１１，１２，１３，１４，１５，１６，１７、１８のうち、用紙規制板位置決め用穴１０，１１，１２，１３，１４は、国内の用紙サイズに対応するもので、例えば用紙規制板位置決め用穴１０はＡ５の用紙サイズに、用紙規制板位置決め用穴１１はＢ５の用紙サイズに、用紙規制板位置決め用穴１２はＡ４の用紙サイズに、用紙規制板位置決め用穴１３はＢ４の用紙サイズに、用紙規制板位置決め用穴１４はＡ３の用紙サイズにそれぞ用紙規制板３を位置決めるものである。
【００３４】
同様に、用紙規制板位置決め用穴１０，１１，１２，１３，１４，１５，１６，１７、１８のうち、用紙規制板位置決め用穴１５，１６，１７、１８は、外国の用紙サイズに対応するもので、例えば用紙規制板位置決め用穴１５は１７´´の用紙サイズに、用紙規制板位置決め用穴１６は１４´´の用紙サイズに、用紙規制板位置決め用穴１７は８．５´´の用紙サイズに、用紙規制板位置決め用穴１８は７．２５´´の用紙サイズにそれぞ用紙規制板３を位置決めるものである。
【００３５】
また、図１に示すように、前記案内溝４に沿い、前記用紙規制板位置決め用穴１０，１１，１２，１３，１４，１５，１６，１７、１８と隣接する位置には、前記用紙規制板３の移動をロックする用紙規制板ロック用窪５，６が形成されている。なお、この用紙規制板停止用窪５，６は、具体的には図４で示すように、断面ラック形状に形成されている。
【００３６】
また、図１に示すように、前記案内溝４に沿い、前記用紙規制板停止用窪５，６に隣接する位置には、用紙サイズ毎に予め決められた前記用紙規制板３の停止位置を表示するサイズ表記２０，２１，２２，２３，２４，２５，２６，２７，２８が記載されている。
【００３７】
このうち、用紙規制板停止用窪６に隣接した位置に記載された、用紙規制板３の停止位置を表示するサイズ表記２０，２１，２２，２３，２４は国内の用紙サイズを記載したもので、サイズ表記２０はＡ５サイズの用紙を、サイズ表記２１は、Ｂ５サイズの用紙を、サイズ表記２２は、Ａ４のサイズの用紙を、サイズ表記２３は、Ｂ４サイズの用紙を、サイズ表記２４は、Ａ３サイズの用紙をそれぞれ示している。
【００３８】
また、用紙規制板停止用窪５に隣接した位置に記載された、用紙規制板３の停止位置を表示するサイズ表記２５，２６，２７，２８は外国の用紙サイズを記載したもので、サイズ表記２５は、１７´´サイズの用紙を、サイズ表記２６は、１４´´サイズの用紙を、サイズ表記２７は、８．５´´サイズの用紙を、サイズ表記２８は、７．２５´´サイズの用紙をそれぞれ示している。
【００３９】
一方、本願に係る用紙規制板３には、図２の概念拡大斜視図に示すように、用紙規制板本体３ａ内に一対のキー３０，３１が配設され、また用紙規制板本体３ａの正面３ｂには、前記用紙規制板ロック用窪み５、６（図１）に入って前記用紙規制板３の移動をロックするロックレバー４０が配設されている。なお、この一対のキー３０，３１のうち、一方のキー３０の上面には海外サイズを示す海外という文字が記載され、また他方のキー３１の上面には国内サイズを示す国内という文字が記載されている。
【００４０】
次に、上述した用紙規制板３のキー３０，３１の構造を説明するが、この各キー３０，３１の各構造は同一構造なので、一方のキー３０を代表してその構造を詳細に説明し、他のキー３１の構造の説明は省略する。
【００４１】
図２のＡＡ概念断面図で、特に用紙規制板ロック用窪み５付近の断面構造を示す図４のように、キー３０は、用紙規制板本体３ａの上部に形成されたキーガイド穴３ｂに向け出没自在に配設されている。
【００４２】
このキー３０内には、円柱形状のベース３２が配設され、このベース３２の周面から突出したガイド突起３２ａは、キー３０の側方に形成された案内溝３０ａに嵌挿している。またベース３２の下端には、前記キー３０の操作に連動して付勢力を作用させるコイルスプリングからなる付勢手段３３が配設され、この付勢手段３３の下端には、当該付勢手段３３の付勢力により前記用紙規制板位置決め用穴１０，１１，１２，１３，１４，１５，１６，１７、１８（図１）にクリック感を持って入る突起３４が配設されている。
【００４３】
なお、上述したガイド突起３２ａの案内溝３０ａは略逆への字形状に形成され、図８で示すように、キー３０が用紙規制板本体３ａのキーガイド穴３ｂ内に入った際に、ベース３２を下方へ移動させ、これにより前記コイルスプリングを圧縮して付勢手段３３に付勢力を与え、突起３４を前記用紙規制板位置決め用穴１０，１１，１２，１３，１４，１５，１６，１７、１８のうち、その一つの穴（図８では穴１８）内にクリック感を持って入るように形成されている。
【００４４】
なお、突起３４は用紙規制板位置決め用穴１０，１１，１２，１３，１４，１５，１６，１７、１８（図１）内に入った際に、その穴から容易に脱出できるよう、先端球状で、その径は用紙規制板位置決め用穴１０，１１，１２，１３，１４，１５，１６，１７、１８の径よりも大きく形成されている。
【００４５】
一方、図４に示すように、キー３０が用紙規制板本体３ａのキーガイド穴３ｂ内から脱出すると、ベース３２は、付勢手段３３の付勢力及びガイド突起３２ａの案内溝３０ａにより上方へ移動し、これにより付勢手段３３のコイルスプリングを自然長に復帰させるので、前記コイルスプリングからなる付勢手段３３には、もはや下方への付勢力がなくなり、したがって、突起３４は用紙規制板位置決め用穴１０，１１，１２，１３，１４，１５，１６，１７、１８（図１）内にクリック感を持って入ることはない。
【００４６】
一方、ロックレバー４０は、軸４１を介して用紙規制板本体３ａに対し左右方向へ回転自在に支承されており、図示せぬバネ等の付勢手段により、常時は反時計方向へ回転するように付勢され、その付勢力によりロックレバー４０の先端４０ａが断面ラック形状の用紙規制板ロック用窪５内に入って、用紙規制板本体３ａの移動をロックしている。
【００４７】
なお図５は、図４と同一の断面図であるが、特に図１に示す用紙規制板位置決め用穴１５，１６，１７、１８が形成された部分のカセット底面２ａで切断した断面を示すもので、図面左側に前記用紙規制板位置決め用穴１８を見てとることができる。
【００４８】
次に、上述した本願発明に係るカセット１の作用を説明し、併せて構成をより詳細に説明する。
【００４９】
まず、オペレータは用紙規制板３を国内の各用紙サイズに対応して位置決めるか、あるいは外国の各用紙サイズに対応して位置決めるかを判断して決定する。
【００５０】
なお、実施例では、用紙規制板３を外国の各用紙サイズに対応して位置決める場合を説明するが、用紙規制板３を国内の各用紙サイズに対応して位置決める場合も同様の操作を行えばよいので、用紙規制板３を国内の各用紙サイズに対応して位置決める場合の操作は、その説明を省略する。
【００５１】
また、以下の説明では、海外サイズのサイズ表記２５，２６，２７，２８（図１）のうち、サイズ表記２８、即ち７．２５´´サイズの用紙に対応した停止位置に用紙規制板３を移動させる場合について説明する。
【００５２】
この場合、図６で示すように、オペレータは、上面に海外と記載されたキー３０とロックレバー４０とを両側から矢印のように同時につまむ。なお、この場合、上面に国内と記載されたキー３１はつままない。
【００５３】
すると、キー３０が用紙規制板本体３ａのキーガイド穴３ｂ内に入り、これによりベース３２を下方へ押し下げて前記コイルスプリングからなる付勢手段３３に付勢力を与え、突起３４を下方に押し付ける状態となる。
【００５４】
また、同時にロックレバー４０は、軸４０を中心に時計方向へ回転し、これによりロックレバー４０の先端４０ａが、ラック形状の用紙規制板ロック用窪５から脱出するので、用紙規制板本体３ａのロックが解除され、用紙規制板３を図面左右方向へスライドさせることが可能となる。
【００５５】
この図６で示すように、オペレータは、ロックレバー４０とキー３０とをその両側から同時につまみ、規制板本体３ａの移動ロックを解除させ、また突起３４を下方に押し付けた状態のまま、目視により図１の符号２８に示す７．２５´´サイズの用紙に対応した用紙規制板３の停止位置へ向け、図７の矢印Ｄで示すように用紙規制板３を移動させる。
【００５６】
そして、この用紙規制板３が、図１の符号２８に示す７．２５´´サイズの用紙に対応した用紙規制板３の停止位置へ至ると、図８に示すように、その位置に対応する位置に形成された用紙規制板位置決め用穴１８に、付勢手段３３により下方に押し付けられた突起３４がクリック感を持って入るので、オペレータは、用紙規制板３が符号２８に示す７．２５´´サイズの用紙に対応した用紙規制板３の停止位置へ至ったことを容易かつ正確に認識することができる。
【００５７】
そして、その時点で、ロックレバー４０のつまみを解除すると、図９に示すように、ロックレバー４０の先端４０ａがラック形状の用紙規制板ロック用窪５内に入るので、用紙規制板３は、その移動がロックされ、したがって、用紙規制板３は、図１の符号２８に示す７．２５´´サイズの用紙に対応した用紙規制板３の停止位置に容易紙かつ正確に位置決めロックされる。
【００５８】
また、図１０で示すように、キー３０のつまみが解除されれば、コイルスプリングからなる付勢手段３３の付勢力及びガイド突起３２ａの案内溝３０ａによりキー３０が用紙規制板本体３ａのキーガイド穴３ｂ内から脱出する初期状態に復帰する。
【００５９】
なお、上記実施例では、用紙規制板３を符号２８に示す７．２５´´サイズの用紙に対応した用紙規制板３の停止位置に容易かつ位置決めロックさせる場合について詳述したが、上述したのと同様の操作により、サイズ表記２５で示す１７´´サイズの用紙に対応した用紙規制板３の停止位置、サイズ表記２６で示す１４´´サイズの用紙に対応した用紙規制板３の停止位置、サイズ表記２７で示す８．５´´サイズの用紙に対応した用紙規制板３の停止位置にも、容易かつ正確に位置決め停止させることが出来ることはいうまでもない。
【００６０】
なお、前述したように、上述した実施例では、用紙規制板３を外国の各用紙サイズに対応して位置決める場合を説明したが、用紙規制板３を国内の各用紙サイズに対応して位置決める場合も同様の操作を行えばよく、この場合、オペレータは、図２に示す上面に国内と記載されたキー３１とロックレバー４０とを両側から矢印のように同時につまみ、この状態で上述したのと同様の操作を行うことにより、用紙規制板３をサイズ表記２０で示すＡ５サイズの用紙に対応した用紙規制板３の停止位置に、サイズ表記２１で示すＢ５サイズの用紙に対応した用紙規制板３の停止位置に、サイズ表記２２で示すＡ４のサイズの用紙に対応した用紙規制板３の停止位置に、サイズ表記２３で示すＢ４サイズの用紙に対応した用紙規制板３の停止位置に、サイズ表記２４で示すＡ３サイズの用紙に対応した用紙規制板３の停止位置に、それぞれ正確かっ容易に位置決めロックすることができる。
【００６１】
なお、上記実施例では、キーの数は国内と海外の用紙サイズを表記した２つのキーとしたが、キーの数は上記実施例に限定されることなく、各種の用紙サイズに対応して２つ以上のキーを使用するようにしてもよい。
【産業上の利用可能性】
【００６２】
この発明は、用紙規制板を各種用紙サイズ毎に予め決められた用紙サイズ位置に正確かつ容易に取り付けることができる給紙カセットに適している。
【符号の説明】
【００６３】
１…給紙カセット
２ｂ…用紙
３…用紙規制板
４…案内溝
５，６…用紙規制板ロック用窪み
１０，１１，１２，１３，１４，１５，１６，１７、１８…用紙規制板位置決め用穴
２０，２１，２２，２３，２４，２５，２６，２７，２８…サイズ表記
３０、３１…キー
３３…付勢手段
３４…突起
４０…ロックレバー
【図１】
2010168164.tif 000003
【図２】
2010168164.tif 000004
【図３】
2010168164.tif 000005
【図４】
2010168164.tif 000006
【図５】
2010168164.tif 000007
【図６】
2010168164.tif 000008
【図７】
2010168164.tif 000009
【図８】
2010168164.tif 000010
【図９】
2010168164.tif 000011
【図１０】
2010168164.tif 000012